(57)【要約】      （修正有）【課題】監視者を配置することなく、不正な方法での入場を抑制できる体温測定装置を提供する。【解決手段】体温測定装置Ａ１は、撮像部２１と、撮像部２１によって撮像された画像から人の顔を検出する検出部１１と、検出部１１によって人の顔が検出された場合、当該人の体温を測定する測定部１２と、測定部１２で測定された測定体温が所定温度より低いか否かを判定する発熱判定部１３と、発熱判定部１３による判定結果に応じて、ステッカーの印刷を行う印刷部３６とを備えた。測定部１２で測定された測定体温が所定温度より低い場合にのみ、印刷部３６がステッカーの印刷を行い、入場者は、ステッカーを視認できる位置に貼り付けて入場する。【選択図】図２
0003229165.tif 000002
【実用新案登録請求の範囲】
【請求項１】
撮像部と、
前記撮像部によって撮像された画像から人の顔を検出する検出部と、
前記検出部によって人の顔が検出された場合、当該人の体温を測定する測定部と、
前記測定部で測定された測定体温が所定温度より低いか否かを判定する発熱判定部と、
前記発熱判定部による判定結果に応じて、ステッカーの印刷を行う印刷部と、
を備えることを特徴とする体温測定装置。
【請求項２】
前記印刷部は、前記測定体温が前記所定温度より低い場合にのみ、前記ステッカーの印刷を行う、
請求項１に記載の体温測定装置。
【請求項３】
前記印刷部は、前記発熱判定部による判定結果を示す情報を前記ステッカーに印刷する、
請求項１に記載の体温測定装置。
【請求項４】
前記印刷部は、前記測定部が体温を測定した日時を示す情報を、前記ステッカーに印刷する、
請求項１ないし３のいずれかに記載の体温測定装置。
【請求項５】
前記検出部によって人の顔が検出された場合、このときの画像に基づいて、当該人の性別および年齢のうち少なくともいずれか一方を推測する推測部をさらに備え、
前記印刷部は、前記推測部による推測結果を示す情報を、前記ステッカーに印刷する、
請求項１ないし４のいずれかに記載の体温測定装置。
【請求項６】
前記測定部で測定された測定体温、前記発熱判定部で判定された判定結果、および、前記撮像部によって撮像された画像を、これらの情報に対応付けたコード情報とともに記憶させる記憶制御部をさらに備え、
前記印刷部は、前記コード情報を示す情報を、前記ステッカーに印刷する、
請求項１ないし５のいずれかに記載の体温測定装置。
【考案の詳細な説明】
【技術分野】
【０００１】
本考案は、体温を測定する体温測定装置に関する。
【背景技術】
【０００２】
インフルエンザや新型コロナなどの感染病の感染拡大防止策が求められている。ホテルや商業施設などの不特定多数が入場する施設では、感染病に感染した人が入場すると、他の人にも感染病を感染させて、感染を拡大させる恐れがある。したがって、これらの施設では、感染の可能性がある人の入場を規制する必要がある。例えば、特許文献１には、赤外線カメラを用いて、施設に入場する人の体温を測定し、所定の体温以上の人の入場を規制するシステムが開示されている。
【先行技術文献】
【特許文献】
【０００３】
【特許文献１】特開２０１１−６７３７１号公報
【考案の概要】
【考案が解決しようとする課題】
【０００４】
しかしながら、所定の体温以上の人に対して、入場できないことを知らせるだけでは、それに従わずに入場してしまう人がいる。また、当該システムを素通りして、体温の測定を行わずに入場してしまう人もいる。入場規制用のゲートを設けて、所定の体温以上の人を通さない方法もあるが、前の人にくっついて一緒に入場するなどの不正な方法で入場する人もいる。これらの不正により入場する人がいないかを監視するために監視者を配置すると、人件費がかさむ。
【０００５】
本考案は上記した事情のもとで考え出されたものであって、監視者を配置することなく、不正な方法での入場を抑制できる体温測定装置を提供することを目的としている。
【課題を解決するための手段】
【０００６】
上記課題を解決するため、本考案では、次の技術的手段を講じている。
【０００７】
本考案の第１の側面によって提供される体温測定装置は、撮像部と、前記撮像部によって撮像された画像から人の顔を検出する検出部と、前記検出部によって人の顔が検出された場合、当該人の体温を測定する測定部と、前記測定部で測定された測定体温が所定温度より低いか否かを判定する発熱判定部と、前記発熱判定部による判定結果に応じて、ステッカーの印刷を行う印刷部とを備えることを特徴とする。
【０００８】
本考案の好ましい実施の形態においては、前記印刷部は、前記測定体温が前記所定温度より低い場合にのみ、前記ステッカーの印刷を行う。
【０００９】
本考案の好ましい実施の形態においては、前記印刷部は、前記発熱判定部による判定結果を示す情報を前記ステッカーに印刷する。
【００１０】
本考案の好ましい実施の形態においては、前記印刷部は、前記測定部が体温を測定した日時を示す情報を、前記ステッカーに印刷する。
【００１１】
本考案の好ましい実施の形態においては、前記検出部によって人の顔が検出された場合、このときの画像に基づいて、当該人の性別および年齢のうち少なくともいずれか一方を推測する推測部をさらに備え、前記印刷部は、前記推測部による推測結果を示す情報を、前記ステッカーに印刷する。
【００１２】
本考案の好ましい実施の形態においては、前記測定部で測定された測定体温、前記発熱判定部で判定された判定結果、および、前記撮像部によって撮像された画像を、これらの情報に対応付けたコード情報とともに記憶させる記憶制御部をさらに備え、前記印刷部は、前記コード情報を示す情報を、前記ステッカーに印刷する。
【考案の効果】
【００１３】
本考案によると、発熱判定部が、測定部で測定された測定体温が所定温度より低いか否かを判定し、印刷部が、発熱判定部による判定結果に応じて、ステッカーの印刷を行う。入場者は、当該ステッカーを視認できる位置に貼り付けて入場する。スタッフは、測定体温が所定温度より低いとの判定結果（良判定）を示すステッカーを貼り付けていない不正入場者（良判定を示さないステッカーを貼り付けた人、または、ステッカーを貼り付けていない人）に対して、退場をお願いすることができる。また、他の入場者も、不正入場者を認識できるので、スタッフに不正入場者の存在を知らせることができる。また、このように、不正入場が明らかになるので、不正入場に対する抑止力になる。したがって、監視者を配置することなく、不正な方法での入場を抑制できる。
【００１４】
本考案のその他の特徴および利点は、添付図面を参照して以下に行う詳細な説明によって、より明らかとなろう。
【図面の簡単な説明】
【００１５】
【図１】第１実施形態に係る体温測定装置の外観を示す斜視図である。
【図２】図１に示す体温測定装置の機能構成を示すブロック図である。
【図３】印刷部が印刷を行ったステッカーの表面の一例を示す図であり、（ａ）は発熱判定部によって平熱であると判定された場合のものであり、（ｂ）は発熱判定部によって発熱していると判定された場合のものである。
【図４】図１に示す体温測定装置の制御部が行う体温測定処理を説明するためのフローチャートの一例である。
【図５】第２実施形態に係る体温測定装置の外観を示す斜視図である。
【考案を実施するための形態】
【００１６】
以下、本考案の実施の形態を、図面を参照して具体的に説明する。
【００１７】
〔第１実施形態〕
図１および図２は、第１実施形態に係る体温測定装置Ａ１を説明するための図である。図１は、体温測定装置Ａ１の外観を示す斜視図である。図２は、体温測定装置Ａ１の機能構成を示すブロック図である。体温測定装置Ａ１は、例えばホテルや商業施設などの入り口付近に配置され、入場者の体温を測定する装置である。入場者は、体温測定装置Ａ１の正面に立つことで、自動的に非接触で体温を測定される。体温測定装置Ａ１は、測定した体温が所定温度（例えば３７．５℃）以上の場合、入場者に入場をあきらめるように案内する。一方、体温測定装置Ａ１は、測定した体温が所定温度未満の場合、ステッカーを印刷し、視認しやすい位置に当該ステッカーを貼り付けるように、入場者に案内する。
【００１８】
体温測定装置Ａ１は、制御部１、撮像部２１、赤外線撮像部２２、操作部３１、表示部３２、記憶部３３、通信部３４、報知部３５、印刷部３６、消毒装置４、および筐体５を備えている。
【００１９】
筐体５は、例えば合成樹脂製であり、鉛直方向に長く、内部に他の構成を収容している。筐体５は、入場者に向かい合う面である前面５ａを備えている。図１に示すように、筐体５の前面５ａの上方には、後述する撮像レンズ２ａおよびディスプレイ３２ａの表示画面が配置されている。ディスプレイ３２ａは、入場者が無理なく顔を対面させられる高さに配置されている。また、撮像レンズ２ａは、入場者が顔をディスプレイ３２ａに対面させた状態で、入場者の顔を撮像できる位置および向きに配置されている。
【００２０】
前面５ａの表示画面（ディスプレイ３２ａ）の下には、排出口５ｂが配置されている。排出口５ｂは、筐体５の内部に配置された後述するプリンタ３６ａが印刷したステッカーを排出する。排出口５ｂは、入場者が排出されたステッカーに気付きやすく、かつ、受け取りやすい位置に配置されている。前面５ａの排出口５ｂの下には、前面５ａから奥側に凹んだ凹部５ｃが配置されている。凹部５ｃは、入場者が無理なく手を入れやすい位置に配置されている。凹部５ｃのすぐ上には、消毒装置４が配置されている。消毒装置４は、一般的なスプレー式の自動消毒装置であって、赤外線センサで体温を検出して、噴出ノズル４１から医療用アルコールを噴出する。消毒装置４の赤外線センサは、凹部５ｃの上面から露出しており、入場者が凹部５ｃに手を入れたときに、その体温を検出する。消毒装置４の噴出ノズル４１は、噴出口が凹部５ｃの内部に向くようにして、凹部５ｃの上面から露出している。これにより、消毒装置４は、入場者が凹部５ｃに手を入れたときに、入場者の手に向かって医療用アルコールを噴出する。
【００２１】
なお、筐体５の前面５ａにおける、撮像レンズ２ａ、ディスプレイ３２ａ、排出口５ｂ、および凹部５ｃの配置位置は限定されない。排出口５ｂおよび凹部５ｃは、前面５ａ以外の面（例えば側面など）に配置されていてもよい。また、体温測定装置Ａ１は、凹部５ｃおよび消毒装置４を備えなくてもよい。また、筐体５には、後述する操作部３１に含まれる、図示しない起動スイッチおよび操作ボタン（タッチ式操作パネル）などが配置されている。これらの配置位置は限定されない。また、筐体５は、ペーパータオルやマスクを備えておく空間や、ごみ箱を配置する空間を備えてもよい。
【００２２】
撮像部２１は、入場者の顔の画像を撮像するための機能ブロックであり、図示しない撮像装置を備えている。撮像装置は、撮像レンズ２ａおよびＣＣＤイメージセンサなどの撮像素子を備えたカメラなどで構成されている。撮像部２１は、所定の周期で撮像を行い、撮像した画像のデータを制御部１に出力する。
【００２３】
赤外線撮像部２２は、入場者の顔の赤外線画像を撮像するための機能ブロックであり、図示しない赤外線サーモグラフィカメラを備えている。本実施形態では、赤外線サーモグラフィカメラは、撮像部２１の撮像装置の撮像レンズ２ａを共用している。撮像レンズ２ａから入射した光は可視光と赤外線とに分解されて、可視光が撮像部２１の撮像装置に入射され、赤外線は赤外線撮像部２２に入射される。なお、赤外線サーモグラフィカメラは、撮像レンズ２ａとは別の専用の撮像レンズを備えてもよい。赤外線撮像部２２は、制御部１からの指令に応じて赤外線画像の撮像を行い、撮像した赤外線画像のデータを制御部１に出力する。
【００２４】
操作部３１は、体温測定装置Ａ１を操作するための機能ブロックであり、操作者によって操作される操作手段を備えている。操作部３１は、操作者による操作手段の操作に基づく操作信号を制御部１に出力する。操作部３１の操作手段には、体温測定装置Ａ１を起動させるための起動スイッチが含まれる。また、本実施形態では、操作部３１の操作手段には、起動後の体温測定装置Ａ１を操作するためのタッチ式操作パネルが含まれる。操作者は、操作パネルに表示されている操作ボタンにタッチすることで、初期設定や設定変更などの各種操作（例えば後述する所定温度の設定など）を行う。本実施形態では、タッチ式操作パネルは設定操作のための操作手段であり、入場者に操作させるものではないので、筐体５の裏面に配置されている。なお、タッチ式操作パネルの配置位置は限定されない。タッチ式操作パネルは、入場者に操作させる必要がある場合などには、筐体５の前面５ａに配置されてもよい。また、筐体５が開閉可能な開閉扉を備え、タッチ式操作パネルは、筐体５の内部に収納され、開閉扉を開くことで操作可能になってもよい。また、体温測定装置Ａ１は、タッチ式操作パネルに代えて、物理的な操作ボタンを備えてもよい。
【００２５】
表示部３２は、各種表示を行う機能ブロックであり、例えば液晶ディスプレイであるディスプレイ３２ａを備えている。ディスプレイ３２ａは、筐体５の前面５ａの上方（入場者が無理なく顔を対面させられる高さ位置）に配置されている。表示部３２は、制御部１によって制御されており、撮像部２１が撮像した画像をディスプレイ３２ａに表示させる。これにより、入場者は、ディスプレイ３２ａを見て、自分の顔がディスプレイ３２ａの中央に表示されるように、顔の位置を調整できる。また、表示部３２は、各種案内や警告をディスプレイ３２ａに表示させ、本実施形態では、測定した体温や平熱であるか否かなどの情報も表示させる。
【００２６】
記憶部３３は、各種情報を記憶するための機能ブロックであり、ＲＯＭ、ＲＡＭ、および不揮発性メモリなどを備えている。ＲＯＭは、制御部１で実行される制御プログラムなどが記憶されるものである。ＲＡＭは、情報が仮に格納されるためのエリアと制御部１が演算などを行う際に使用するワークエリアを提供するものである。不揮発性メモリは、画像データなどの各種データを一時的に記憶するものである。なお、本実施形態では、記憶部３３の記憶容量を最低限にものにしているので、保管用の各種データは、クラウド上のサーバ８に記憶される。
【００２７】
通信部３４は、体温測定装置Ａ１が外部と通信を行うための機能ブロックであり、通信モジュールを備えている。通信部３４は、制御部１によって制御されており、スタッフが所持する携帯端末９と無線通信を行う。携帯端末９は、例えばスマートフォンなどの通信機能を有する情報携帯端末である。通信部３４は、体温測定装置Ａ１が発熱者を検出した場合にその旨を携帯端末９に通知する。また、通信部３４は、有線通信によって、ネットワーク８５を介して、サーバ８と通信を行う。体温測定装置Ａ１は、画像データなどの各種データをサーバ８に記憶し、サーバ８に記憶された各種データを読み出すことができる。また、サーバ８に記憶された各種データは、携帯端末９からも読み出すことができる。なお、通信部３４が行う各通信は、それぞれ、無線通信であってもよいし、有線通信であってもよい。また各通信の通信規格は限定されない。
【００２８】
報知部３５は、各種音声案内を行う機能ブロックであり、例えば図示しないスピーカを備えている。報知部３５は、制御部１によって制御されており、顔がディスプレイ３２ａの中央に表示されるように入場者に促す音声案内や、熱があるので入場できないことを知らせる音声案内などを行う。
【００２９】
印刷部３６は、ステッカー６を印刷するための機能ブロックであり、プリンタ３６ａを備えている。印刷部３６は、制御部１によって制御されており、裏面に粘着剤が塗布されて剥離紙が貼り付けられたシール用紙の表面に、所定の情報を印刷することでステッカー６（後述する図３参照）を作成し、ステッカー６を筐体５の前面５ａに配置された排出口５ｂから排出する。ステッカー６に印刷される所定の情報については後述する。
【００３０】
制御部１は、体温測定装置Ａ１の各種制御や信号処理を行うための機能ブロックであり、例えば、ＣＰＵを用いて構成されている。制御部１は、操作部３１より入力される操作信号に応じて、所定の処理を行う。また、制御部１は、撮像部２１および赤外線撮像部２２での撮像の制御、表示部３２での表示の制御、記憶部３３の情報の書き込みおよび読出しの制御、通信部３４での通信の制御、報知部３５での音声出力の制御、並びに、印刷部３６でのステッカー６の印刷の制御を行う。
【００３１】
制御部１は、機能構成として、検出部１１、測定部１２、発熱判定部１３、推測部１４、記憶制御部１５、および印刷制御部１６を備えている。
【００３２】
検出部１１は、撮像部２１によって撮像された画像から人の顔を検出するための機能ブロックである。検出部１１は、撮像部２１から入力される画像のデータに基づいて、画像認識の技術を用いて、人の顔を検出する。画像認識の技術は従来から知られている技術を用いており、検出部１１は、マスクをした人の顔も認識可能である。
【００３３】
測定部１２は、赤外線撮像部２２によって撮像された赤外線画像から、撮像された人の体温を測定するための機能ブロックである。測定部１２は、検出部１１によって人の顔が検出された場合に、赤外線撮像部２２から入力される赤外線画像のデータに基づいて、撮像された人の体温を算出する。撮像部２１から入力される画像のデータによって、顔の位置や顔の各パーツの位置が把握されている。測定部１２は、顔の位置などに対応する赤外線画像のデータから、顔の表面温度を当該人の体温として算出する。なお、体温を算出するアルゴリズムは限定されず、従来知られた技術が採用されている。なお、測定部１２は、入場者に口を開けさせて撮像を行い、口の内部の赤外線画像のデータを利用してもよい。
【００３４】
発熱判定部１３は、測定部１２で測定された体温（以下では「測定体温」とする）に基づいて発熱しているか否かを判定するための機能ブロックである。発熱判定部１３は、測定体温とあらかじめ設定された所定温度（例えば３７．５℃）とを比較する。発熱判定部１３は、測定体温が所定温度以上である場合に入場者が発熱していると判定し、測定体温が所定温度より低い場合に入場者は平熱であると判定する。
【００３５】
推測部１４は、撮像部２１によって撮像された画像から、撮像された人の性別および年齢を推測するための機能ブロックである。推測部１４は、検出部１１が人の顔を検出したときに撮像部２１によって撮像された画像に基づいて、性別および年齢を推測する。本実施形態では、推測部１４は、ＡＩ技術による顔画像からの機械学習で、性別および年齢を推測するように学習させた学習済みモデルを備えている。推測部１４が推測する性別および年齢は、撮像された人の本当の性別および年齢である必要はない。性別および年齢は、スタッフが入場者とステッカーの表示とを視認により確認するためのものなので、見た目の性別および年齢であればよい。なお、サーバ８が学習済みモデルを備え、推測部１４は、通信部３４を介してサーバ８に画像データを送信し、推測結果を受信してもよい。また、推測部１４は、顔写真から性別および年齢を推定する既存のサービスを利用して、通信部３４を介して当該サービスに画像データを送信し、推測結果を受信してもよい。これらの場合、検出部１１における人の顔を検出する機能もＡＩ技術による画像認識を利用して、人の顔の検出と、性別および年齢の推定とを同時に行ってもよい。また、推測部１４は、ＡＩ技術を利用せず、画像認識により、性別および年齢を推測してもよい。例えば、画像認識により識別した顔のパーツの配置や大きさ、識別した顔のしわの形状や深さ、識別した服のデザインや色などに基づいて、性別および年齢を推測することは可能である。推測部１４は、どのような方法を用いるかに関係なく、画像から性別および年齢を推測できれば良い。
【００３６】
記憶制御部１５は、制御部１が検出した各種情報をコード情報に対応付けて記憶するための機能ブロックである。各種情報には、撮像部２１によって撮像された画像のデータ、測定部１２によって測定された体温、発熱判定部１３によって判定された判定結果、測定部１２によって体温が測定された日時、推測部１４によって推測された性別および年齢などが含まれている。なお、各種情報には、その他の情報が含まれていてもよい。また、上記したすべての情報が記憶されなくてもよい。記憶制御部１５は、制御部１が検出した各種情報にコード情報を対応付け、各種情報とコード情報とを、通信部３４を介してサーバ８に送信し、サーバ８に記憶させる。
【００３７】
印刷制御部１６は、印刷部３６にステッカー６を印刷させるための機能ブロックである。本実施形態では、印刷制御部１６は、発熱判定部１３が平熱である（測定体温が所定温度より低い）と判定した場合にのみ、印刷部３６にステッカー６を印刷させる。この場合、印刷制御部１６は、体温チェック済みであることを示す情報、測定部１２によって体温が測定された日時を示す情報、推測部１４による推測結果を示す情報、記憶制御部１５によって各種情報に対応付けられたコード情報を示す情報などを、ステッカー６に印刷させる。
【００３８】
図３（ａ）は、印刷部３６が印刷を行ったステッカー６の表面６ａの一例を示す図である。図３（ａ）に示すように、ステッカー６の表面６ａには、マーク６１、日付６２、時刻６３、記号６４、およびコード６５が印刷されている。マーク６１は、体温チェック済みを表すマークであり、測定部１２による体温の測定が行われて、発熱判定部１３によって平熱であると判定されたことを示している。なお、本実施形態では、ステッカー６が印刷されたことが、体温チェック済みであることを表しているので、マーク６１は、ステッカー６の表面６ａに印刷されなくてもよい。日付６２および時刻６３は、測定部１２によって体温が測定された日時を示している。記号６４は、推測部１４によって推測された性別および年齢を示している。本実施形態では、性別を「Ｍ」と「Ｆ」で表し、年齢を数字で表している。記号６４が表している内容は、入場者が理解する必要はなく、スタッフだけが理解できれば良い。むしろ、入場者が記号６４の内容を理解してしまうと、推測が大きく外れていた場合に、入場者が気分を害する場合がある。したがって、記号６４は、入場者が内容をより理解しにくいような表記にしてもよい。コード６５は、記憶制御部１５によって各種情報に対応付けられたコード情報を示すＱＲコード（登録商標）である。なお、コード６５は、ＱＲコード（登録商標）に限定されず、バーコードなどの他のコードであってもよいし、コード情報を表す数値や記号であってもよい。
【００３９】
なお、印刷制御部１６がステッカー６に印刷させる情報は、上述した情報に限定されない。印刷制御部１６は、上述したすべての情報をステッカー６に印刷させなくてもよいし、他の情報（例えば、測定部１２によって測定された体温を示す情報など）を印刷させてもよい。
【００４０】
図４は、制御部１が行う体温測定処理を説明するためのフローチャートの一例である。制御部１は、体温測定装置Ａ１が起動されたときに、体温測定処理を開始する。
【００４１】
まず、撮像部２１によって撮像された画像のデータが取得される（Ｓ１）。次に、検出部１１によって人の顔が検出されたか否かが判別される（Ｓ２）。人の顔が検出されなかった場合（Ｓ２：ＮＯ）、ステップＳ１に戻って、ステップＳ１，Ｓ２の処理が繰り返される。人の顔が検出された場合（Ｓ２：ＹＥＳ）、赤外線撮像部２２によって撮像された赤外線画像のデータが取得される（Ｓ３）。
【００４２】
次に、測定部１２によって、撮像された人の体温が測定され（Ｓ４）、推測部１４によって、撮像された人の性別および年齢が推測される（Ｓ５）。次に、発熱判定部１３によって、測定体温が所定温度より低いか否かが判別される（Ｓ６）。測定体温が所定温度より低い場合（Ｓ６：ＹＥＳ）、印刷部３６によって、ステッカー６が印刷される（Ｓ７）。一方、測定体温が所定温度以上である場合（Ｓ６：ＮＯ）、報知部３５および表示部３２によって、熱があるので入場できないことを知らせる旨が警告され（Ｓ８）、通信部３４によって、携帯端末９に発熱者を検出した旨の通知が行われる（Ｓ９）。
【００４３】
次に、測定部１２によって測定された体温、および、発熱判定部１３による判定結果などがディスプレイ３２ａに表示される（Ｓ１０）。次に、記憶制御部１５によって、制御部１が検出した各種情報にコード情報が対応付けられ、各種情報とコード情報とが記憶される（Ｓ１１）。その後、ステップＳ１に戻って、次の入場者の対応を行う。
【００４４】
なお、図４のフローチャートに示す処理は一例であって、制御部１が行う体温測定処理は上述したものに限定されない。
【００４５】
次に、体温測定装置Ａ１が、例えば大型商業施設の入り口に配置された場合を例にして、その運用について説明する。
【００４６】
大型商業施設の入り口には、複数の体温測定装置Ａ１が配置されている。入場者は、そのうちの１台の体温測定装置Ａ１の前に立って、体温測定を行う。体温測定装置Ａ１は、入場者の顔がディスプレイ３２ａの中央に表示されるように、表示部３２によるディスプレイ３２ａへの案内表示、および、報知部３５による音声案内によって、入場者を誘導する。入場者は、ディスプレイ３２ａに表示されている自身の顔を中央に位置するように移動させる。このとき、表示部３２は、ディスプレイ３２ａに人型の枠を表示して、当該枠に合うように誘導してもよい。
【００４７】
検出部１１が撮像部２１によって撮像された画像から人の顔を検出できた場合、赤外線撮像部２２が赤外線画像を撮像し、当該赤外線画像に基づいて体温が測定される。そして、測定体温に基づいて、発熱判定部１３による判定が行われる。また、撮像部２１によって撮像された画像から性別および年齢が推測される。
【００４８】
発熱判定部１３によって平熱と判定された場合、ステッカー６が印刷されて、排出口５ｂから排出される。このとき、ディスプレイ３２ａへの表示、および、スピーカからの音声案内によって、視認しやすい位置に当該ステッカーを貼り付けるように案内される。入場者は、排出口５ｂから受け取ったステッカー６を視認できる位置に貼り付けて入場する。スタッフは、入場者がステッカー６を貼り付けている場合、当該入場者が平熱（体温チェック済み）であると判断できる。
【００４９】
一方、発熱判定部１３によって、発熱していると判定された場合、ディスプレイ３２ａには、熱があるので入場できないことを知らせる旨が表示され、スピーカからもその旨の音声案内が行われる。また、スタッフの携帯端末９には、発熱者を検出した旨が通知される。一般的な入場者は、熱があるので入場できないことを知らされると、入場をあきらめる。
【００５０】
しかしながら、入場できないことを知らせるだけでは、それに従わずに入場してしまう人がいる。また、体温測定装置Ａ１を素通りして、体温の測定を行わずに入場してしまう人もいる。スタッフは、入場者がステッカー６を貼り付けていない場合は、当該入場者が、発熱判定部１３によって発熱していると判定されてステッカー６を受け取れなかったか、体温測定装置Ａ１を無視して入場したかであり、いずれにしても、不正に入場した入場者であると判断できる。したがって、スタッフは、ステッカー６を貼り付けていない入場者に対して、退場をお願いすることができる。
【００５１】
図３（ａ）に示すように、ステッカー６には、体温が測定された日時を示す日付６２および時刻６３が印刷されているので、発熱していなかった別の日に印刷されたステッカー６を使いまわしていても、スタッフは気付くことができる。また、ステッカー６には、推測部１４によって推測された性別および年齢を示す記号６４が印刷されているので、例えば同伴者や他の人のために印刷されたステッカー６を貼り付けていても、性別や年齢層が異なる場合、スタッフは気付くことができる。また、スタッフは、ステッカー６に印刷されたコード６５を携帯端末９で読み取って、サーバ８に記憶された情報を読み出すことができる。読み出された情報には、撮像部２１によって撮像された画像のデータが含まれているので、スタッフは、性別が同じで年齢が近くても別人であることに気付くことができる。以上のように、スタッフは、ステッカー６を不正に入手して入場した入場者に対しても、退場をお願いすることができる。
【００５２】
次に、体温測定装置Ａ１の作用効果について説明する。
【００５３】
本実施形態によると、印刷制御部１６は、発熱判定部１３が平熱である（測定体温が所定温度より低い）と判定した場合にのみ、印刷部３６にステッカー６を印刷させる。発熱判定部１３によって発熱している（測定体温が所定温度以上である）と判定された入場者は、ステッカー６を入手できない。したがって、ステッカー６を貼っていない人は、発熱していると判定されたにもかかわらず入場した人であるか、体温測定装置Ａ１による体温測定を行わずに不正に入場した人であると、認識できる。これにより、スタッフは、ステッカー６を貼り付けていない不正入場者に対して、退場をお願いすることができる。また、他の入場者も、ステッカー６の有無によって不正入場者を認識できるので、スタッフに不正入場者の存在を知らせることができる。また、このように、不正入場が明らかになるので、不正入場に対する抑止力になる。したがって、体温測定装置Ａ１は、監視者を配置することなく、不正な方法での入場を抑制できる。
【００５４】
また、本実施形態によると、ステッカー６には、体温が測定された日時を示す日付６２および時刻６３、推測部１４によって推測された性別および年齢を示す記号６４、並びに、記憶制御部１５によって各種情報に対応付けられたコード情報を示すコード６５が印刷される。したがって、スタッフは、別の日に印刷されたステッカー６や、同伴者や他の人のために印刷されたステッカー６などの不正に入手されたステッカー６を貼り付けて入場した不正入場者に対しても、退場をお願いすることができる。また、他の入場者も、ステッカー６の表示により不正入場者を認識できるので、スタッフに不正入場者の存在を知らせることができる。また、このように、不正入場が明らかになるので、不正入場に対する抑止力になる。したがって、体温測定装置Ａ１は、監視者を配置することなく、不正な方法での入場をさらに抑制できる。
【００５５】
なお、本実施形態においては、測定部１２が赤外線撮像部２２によって撮像された赤外線画像に基づいて体温を測定する場合について説明したが、これに限られない。測定部１２が体温を測定する方法は限定されない。例えば、体温測定装置Ａ１は、赤外線撮像部２２の代わりに放射温度計を備えて、放射温度計で体温を測定してもよい。
【００５６】
また、本実施形態においては、推測部１４が性別および年齢を推測して、印刷制御部１６が推測された性別および年齢を示す情報をステッカー６に印刷させる場合について説明したが、これに限られない。推測部１４が性別および年齢のうちのいずれか一方だけを推測して、印刷制御部１６が推測された情報をステッカー６に印刷させてもよい。また、制御部１が推測部１４を備えず、性別および年齢の情報がステッカー６に印刷されなくてもよい。この場合でも、ステッカー６を貼り付けていない入場者による不正入場を抑制できる。ただし、ステッカー６の不正入手による不正入場を抑制しがたいので、ステッカー６には性別および年齢を示す情報を表示するのが望ましい。また、制御部１は、撮像部２１によって撮像された画像から、撮像された人の服の種類や色、髪型や髪の色、メガネの有無などを認識して、これらを示す情報をステッカー６に印刷させてもよい。この場合、スタッフは、ステッカー６に印刷された情報から、ステッカー６の不正入手を認識しやすくなる。
【００５７】
また、本実施形態においては、記憶制御部１５が各種情報およびコード情報をサーバ８に記憶させる場合について説明したが、これに限られない。記憶制御部１５は、各種情報およびコード情報を、記憶部３３に記憶してもよい。
【００５８】
また、本実施形態においては、発熱判定部１３によって発熱している（測定体温が所定温度以上である）と判定された場合には、印刷制御部１６が印刷部３６にステッカー６を印刷させない場合について説明したが、これに限られない。印刷制御部１６は、発熱判定部１３によって発熱していると判定された場合にも、印刷部３６にステッカー６を印刷させてもよい。この場合、印刷制御部１６は、少なくとも発熱判定部１３による判定結果を示す情報を、ステッカー６に印刷させる。
【００５９】
図３（ｂ）は、発熱判定部１３によって発熱していると判定された場合の、印刷部３６が印刷を行ったステッカー６の表面６ａの一例を示す図である。図３（ｂ）に示すように、ステッカー６の表面６ａには、図３（ａ）に示すマーク６１に代えて、マーク６６および体温６７が印刷されている。マーク６６は、発熱判定部１３によって発熱していると判定されたことを示している。体温６７は、測定部１２によって測定された体温を示している。
【００６０】
スタッフは、入場者が貼り付けているステッカー６を見て、図３（ａ）に示すように、マーク６１が印刷されている場合は、当該入場者が平熱（体温チェック済み）であると判断できる。一方、図３（ｂ）に示すように、マーク６６および体温６７が印刷されている場合は、当該入場者が発熱していると判断できる。また、入場者がステッカー６を貼り付けていない場合は、当該入場者が、マーク６６および体温６７が印刷されたステッカー６（図３（ｂ）参照）を受け取ったので貼り付けていないか、体温測定装置Ａ１を無視して入場したかであり、いずれにしても、不正に入場した入場者であると判断できる。
【００６１】
〔第２実施形態〕
図５は、第２実施形態に係る体温測定装置Ａ２を説明するための図であり、体温測定装置Ａ２の外観を示す斜視図である。図５において、体温測定装置Ａ１（図１参照）と同一または類似の要素には同一の符号を付して、重複する説明を省略する。なお、体温測定装置Ａ２の機能構成を示すブロック図は、体温測定装置Ａ１（図２参照）と同様である。
【００６２】
第２実施形態に係る体温測定装置Ａ２は、デスクトップ型である点で、第１実施形態に係る体温測定装置Ａ１と異なる。
【００６３】
第２実施形態に係る体温測定装置Ａ２は、３個の筐体５１，５２，５３を備えている。筐体５１は、内部に撮像装置、赤外線サーモグラフィカメラ、およびディスプレイ３２ａを収容している。筐体５１の前面５１ａには、撮像レンズ２ａおよびディスプレイ３２ａの表示画面が配置されている。筐体５２は、内部にプリンタ３６ａを収容している。筐体５２の前面５２ａには、排出口５ｂが配置されている。筐体５３は、内部に消毒装置４を収容している。筐体５３の前面５３ａには凹部５ｃが配置されており、凹部５ｃの上面から消毒装置４の赤外線センサおよび噴出ノズル４１が露出している。筐体５１，５２，５３は、この順に並んで、例えば机の上に配置されている。なお、筐体５１，５２，５３の配置位置は限定されない。また、筐体の数は限定されず、各筐体の内部にいずれの構成をどのように収納するかも限定されない。
【００６４】
本実施形態においても、印刷制御部１６は、発熱判定部１３が平熱である（測定体温が所定温度より低い）と判定した場合にのみ、印刷部３６にステッカー６を印刷させる。また、ステッカー６には、日付６２、時刻６３、記号６４、およびコード６５が印刷される。したがって、本実施形態においても、第１実施形態と同様の効果を奏することができる。
【００６５】
なお、体温測定装置Ａ１（Ａ２）は、体温測定以外の機能も併せて備えてもよい。例えば、体温測定装置Ａ１（Ａ２）は、ホテルなどの宿泊施設で使用する場合は、チェックイン機能などを備えてもよいし、オフィスなどで使用する場合は、社員のタイムカード機能や来客予定者の受付機能などを備えてもよい。
【００６６】
本考案に係る体温測定装置は、上述した実施形態に限定されるものではない。本考案に係る体温測定装置の各部の具体的な構成は、種々に設計変更自在である。
【符号の説明】
【００６７】
Ａ１，Ａ２：体温測定装置
１      ：制御部
１１    ：検出部
１２    ：測定部
１３    ：発熱判定部
１４    ：推測部
１５    ：記憶制御部
１６    ：印刷制御部
２１    ：撮像部
２２    ：赤外線撮像部
２ａ    ：撮像レンズ
３１    ：操作部
３２    ：表示部
３２ａ  ：ディスプレイ
３３    ：記憶部
３４    ：通信部
３５    ：報知部
３６    ：印刷部
３６ａ  ：プリンタ
４      ：消毒装置
４１    ：噴出ノズル
５，５１，５２，５３：筐体
５ａ，５１ａ，５２ａ，５３ａ：前面
５ｂ    ：排出口
５ｃ    ：凹部
６      ：ステッカー
６ａ    ：表面
６１    ：マーク
６２    ：日付
６５    ：コード
６６    ：マーク
６７    ：体温
８      ：サーバ
８５    ：ネットワーク
９      ：携帯端末
【図１】
0003229165.tif 000003
【図２】
0003229165.tif 000004
【図３】
0003229165.tif 000005
【図４】
0003229165.tif 000006
【図５】
0003229165.tif 000007